(57)【要約】【課題】  壁面に対して棚板などを簡単且つ迅速に装着し、また、その取付け位置を適宜に変更することができ、しかも、装着した棚板が誤って落下することが防止できる壁面ユニットを提供する。【解決手段】  壁面に固定される取付具と、この取付具に対して着脱自在な固定具とから成る壁面ユニットであって、前記取付具には前方から後部壁に向って下り傾斜である挿入溝部と、この挿入溝部から上方に屈曲した係合溝部が形成されており、前記固定具は、前記挿入溝部に挿入される挿入係止部とこの挿入係止部から垂下形成された垂下支持部とから成り、前記挿入係止部の後端には上方に屈曲した係合突部が形成されており、前記取付具の挿入溝部に前記固定具の挿入溝部を斜め上方から差し込み、その後下方に回動することにより、前記係合溝部と係合突部との係合と、前記下部壁前面と前記垂下支持部との当接によって、取付具に対して固定具が装着される。【選択図】  図１
2005102762.tif 000002
【特許請求の範囲】
【請求項１】
壁面に固定される取付具と、この取付具に対して着脱自在な固定具とから成る壁面ユニットであって、
前記取付具は、壁面と平行な後部壁と、この後部壁から前方に突出した上部壁と下部壁とから成り、この上部壁と下部壁との間には前方から後部壁に向って下り傾斜である挿入溝部と、この挿入溝部から上方に屈曲した係合溝部が形成されており、
前記固定具は、前記挿入溝部に挿入される挿入係止部とこの挿入係止部から垂下形成された垂下支持部とから成り、前記挿入係止部の後端には上方に屈曲した係合突部が形成されており、
前記取付具の挿入溝部に前記固定具の挿入溝部を斜め上方から差し込み、その後下方に回動することにより、前記係合溝部と係合突部との係合と、前記下部壁前面と前記垂下支持部との当接によって、取付具に対して固定具が装着されることを特徴とする壁面ユニット。
【請求項２】
前記取付具の上部壁の前端には垂直壁が立上げ形成されており、下部壁の前端には垂下壁が垂れ下り形成されており、前記後部壁と垂直壁との間、及び、後部壁と垂下壁との間に、壁面を覆うボード材を装着してなることを特徴とする、請求項１記載の壁面ユニット。
【請求項３】
前記取付具と前記ボード材の左右端部は、壁面に左右方向に所定距離をもって固定される壁面に対して垂直方向に突出した取付ボスを備えた一対のフレーム本体と、この取付ボスに固定されるボス孔と壁面に平行な庇部を有する化粧カバーと、によって隠蔽されることを特徴とする請求項２記載の壁面ユニット。
【請求項４】
前記フレームには、上下方向に目盛部が形成されていることを特徴とする、請求項３記載の壁面ユニット。
【発明の詳細な説明】
【技術分野】
【０００１】
本発明は、建築構造体の側壁の表面に配置されたボード材に、棚板などを簡単且つ迅速に装着し、且つ取り外しができ、また、その取付け位置を適宜に変更することができ、しかも、装着した棚板が誤って落下することが防止できる壁面ユニットに係り、特にトイレルーム内に好適な壁面ユニットに関するものである。 
【背景技術】
【０００２】
従来、棚板などを壁面に着脱可能に装着する構成としては、例えば、ボード材に取り付けられる取付具と、この取付具に設けられた溝部に挿入係止される家具用部品アダプタとから成り、この家具用部品アダプタへ棚板材を固定するものが知られて（例えば、特許文献１参照。）。 
この特許文献１においては、取付具には、断面が下向き円弧状でその下端箇所に挿入口が形成された挿入溝部が形成されており、家具用部品アダプタには挿入溝部に挿入する円弧状の挿入係止部と、この挿入係止部の下面側に棚板材を取付ける垂下支持板が形成されている。
【０００３】
【特許文献１】実用新案登録第３０７８６９２号公報
【発明の開示】
【発明が解決しようとする課題】
【０００４】
この特許文献１に記載された家具用部品装着構造においては、取付具に対する家具用部品アダプタの装着が、断面が下向き円弧状の挿入溝部を介して行われる。
そのため、棚板材のボード部寄りに重量物が載せられており、その状態で人が偶発的に棚板材の前側を下から突き上げてしまった場合に、その載置物の持つ重力と突き上げ力との合成モーメントにより棚板材（家具用アダプタ）が落下し、結果として載置物も落下し、それらが破損してしまう恐れがあった。
【０００５】
特に、トイレルームのように狭い空間に設置された棚板の場合、使用者が座る便器の位置から棚板材が設置されたトイレルーム壁面までの距離が短く、そのため使用者は背伸びなどのちょっとした動作において棚板材を突き上げやすく、その場合に棚板材が落下してしまうようでは、棚板材に載せることのできるものは、破損の恐れの無いトイレペーパー等に限定されてしまう。
【０００６】
本発明は、上記問題を解決するためになされたもので、本発明の課題は、壁面に対して棚板などを簡単且つ迅速に装着、取り外しができ、また、その取付け位置を適宜に変更することができ、しかも、装着した棚板などが誤って落下することが防止できる壁面ユニットを提供するものである。
【課題を解決するための手段】
【０００７】
上記目的を達成するために請求項１記載の発明によれば、壁面に固定される取付具と、この取付具に対して着脱自在な固定具とから成る壁面ユニットであって、前記取付具は、壁面と平行な後部壁と、この後部壁から前方に突出した上部壁と下部壁とから成り、この上部壁と下部壁との間には前方から後部壁に向って下り傾斜である挿入溝部と、この挿入溝部から上方に屈曲した係合溝部が形成されており、前記固定具は、前記挿入溝部に挿入される挿入係止部とこの挿入係止部から垂下形成された垂下支持部とから成り、前記挿入係止部の後端には上方に屈曲した係合突部が形成されており、前記取付具の挿入溝部に前記固定具の挿入溝部を斜め上方から差し込み、その後下方に回動することにより、前記係合溝部と係合突部との係合と、前記下部壁前面と前記垂下支持部との当接によって、取付具に対して固定具が装着されることを特徴とする。
【０００８】
このように、取付具の挿入溝部に固定具の挿入溝部を斜め上方から差し込んで、その後下方に回動することにより、取付具に対して固定具が装着される構造である。従って、固定具を取付具から取り外す際には装着時とは逆に、固定具を上方向に回動させ、その後に斜め上方へ引き抜くという動作が必要である。従って、単に固定具に固定された棚板が下方から突き上げられた場合、固定具は上方向に回動されるが、その状態において固定具や棚板の自重、及び、棚板上にある載置物の重量が挿入溝部に装着する方向である斜め下方に固定具を差し込むように作用するため、固定具が取付具から外れて落下することが無いものである。
【０００９】
また、請求項２記載の発明によれば、前記取付具の上部壁の前端には垂直壁が立上げ形成されており、下部壁の前端には垂下壁が垂れ下り形成されており、前記後部壁と垂直壁との間、及び、後部壁と垂下壁との間に、壁面を覆うボード材を装着してなることを特徴とする。従って、取付具の後部壁をボード材にて覆い隠すことができ、また、この後部壁から突出した上部壁と下部壁とがボード材と略連続した表面形成することとなり機能的であり、取付具の存在が外部から目立たず意匠性が向上する。
【００１０】
また、請求項３においては、前記取付具と前記ボード材の左右端部は、壁面に左右方向に所定距離をもって固定される壁面に対して垂直方向に突出した取付ボスを備えた一対のフレーム本体と、この取付ボスに固定されるボス孔と壁面に平行な庇部を有する化粧カバーと、によって隠蔽されることを特徴とする。従って、ボード材の左右端部が化粧カバーによって覆い隠されるので見映えがよく、また、化粧カバーを壁面に固定するための取付けボスも化粧カバー自体によって隠れた構成となり、化粧カバー表面からはその固定ビス等が見えることがないため、フレーム自体の見映えを良いものとできる。
【００１１】
なお、前記フレームには、上下方向に目盛部が形成されているものとすれば、その左右両側の目盛りが同じとなるようにボード部材を取り付けることによって、水平器等の測定治具が無い場合にも、ボード部材の左右方向の傾きを容易に防止することができる。
【発明の効果】
【００１２】
壁面に対して棚板などを簡単且つ迅速に装着、取り外しができ、また、その取付け位置を適宜に変更することができ、しかも、装着した棚板などが誤って落下することが防止できる。
【発明を実施するための最良の形態】
【００１３】
以下、本発明の実施形態を図面に基づいて説明する。
図１は本発明における壁面ユニットを固定したトイレルームの側壁面であり、図２は図１のトイレルームの正面図である。
【００１４】
この図１に示すように、トイレルームには、水洗便器１が固定されている。この水洗便器の後部（図１における右側）にはキャビネット２が配置されており、このキャビネット２の中に、水洗便器１の便器洗浄機能部や局部洗浄機能部等が収納されている。なお、キャビネット２の上部はカウンター３とされており、このカウンター３はトイレルームの側壁面に固定されている手洗器４に亘って形成されている。なお、手洗器４の上方にはミラー５が設置されている。
【００１５】
そして、このミラー５の側方には本発明に係わる壁面ユニットＨが形成されている。この壁面ユニットＨは、レール状の取付具１０に固定具２０が着脱自在に固定されており、その取付具１０の間にはボード材３０が配置されており、固定具２０には棚板４０が固定されて成る。なお、この壁面ユニットＨの両側にはフレーム５０が配置されている。
【００１６】
図３〜図５は図１におけるＡ−Ａ断面を示すものであって、本発明の実施形態における取付具に対する固定具の装着方法を説明する断面図であり、図３は装着前，図４は装着途中，図５は装着完了を示す。
【００１７】
図３において、壁面Ｗに対して固定される取付具１０は、壁面Ｗに固定される後部壁１１と、この後部壁１１から水平前方に突出形成された上部壁１２と下部壁１３と、この上部壁１２から垂直上方に形成された垂直壁１４，下部壁１３から垂直下方に形成された垂下壁１５とから構成されている。なお、取付具１０は後部壁１１を貫通した固定ネジ１１ａによって壁面Ｗに固定されている。
【００１８】
そして、上部壁１２と下部壁１３との間には、斜め上方に向って傾斜して後部壁１１とは反対側に開口している挿入溝部１６が形成されており、この挿入溝部１６の後端（後部壁１１側）には、上方に屈曲した係合溝部１７が形成されている。
なお、後部壁１１と垂直壁１４及び垂下壁１５との間には化粧合板からなるボード材３０が挟持され、このボード材３０によって後部壁１１が隠蔽される共に、ボード材３０の前面と垂直壁１４及び垂下壁１５とが略連続した平面を形成することとなり、取付具１０とボード材３０との一体感を醸し出している。ボード材３０としてはコルク製としてピン差込を容易としたものや、アクリル製として透明感のある意匠を醸し出すことも可能である。
【００１９】
この取付具１０に対して着脱自在に装着される固定具２０について説明する。
この固定具２０は図３に示すように、固定具２０の挿入溝部１６に挿入される挿入係止部２１と、この挿入係止部２１の挿入方向先端に設けられた上方に屈曲形成された係合突起２２と、挿入係止部２１から垂直下方に形成された垂下支持部２３と、この垂下支持部２３から前方水平方向に形成された棚板固定部２４とから構成されている。
そして、挿入係止部２１の係合突起が設けられない側は垂下支持部２３よりも前方に延出形成されており、棚板固定部２４と共に棚板４０の後端を挟持する。そして、棚板固定部２４の下面から平ネジ２４ａによって固定することにより、固定具２０から棚板４０が外れてしまうことを防いでいる。
【００２０】
以上のように構成された取付具１０と固定具２０を用いることにより、壁面Ｗに固定された取付具１０に対して棚板４０を固定した固定具２０が着脱及びスライド自在となり、結果として棚板４０の壁面Ｗに対する位置を可変できるものである。
なお、取付具１０と固定具２０とはアルミからなる軽金属性であり、トイレルームに設置された場合でも耐食性に優れるものである。
【００２１】
この取付具１０に対して固定具２０を装着するには、図３に示すように挿入係止部２１が取付具１０の挿入溝部１６と同じ傾斜となるように固定具２０を傾け、その状態で挿入係止部２１を挿入溝部１６へ挿入する（図４参照）。
そして、固定具２０の先端（棚板４０が固定されている側）を下げるように回動させることにより、挿入係止部２１上面と上部壁１２の最下部が当接すると共に、垂下壁１５前面と垂下支持部２３に設けられた当接突起２３ａとが当接し、固定具２０は水平に装着される（図５）。
【００２２】
また、その状態においては、挿入係止部２１の挿入方向先端に設けられた係合突起２２が、係合溝部１７に嵌まり込み、固定具２０の前方への移動が規制される。
なお、上部壁１２の最下端と下部壁１３の最上端との隙間距離Ｄ２と、挿入係止部２１の厚みＨ２とは同じであり、挿入係止部２１の下面と下部壁１３の最上部（図３〜図５における挿入溝部１６の開口端下側）も当接支持され、棚板などは水平にガタツキなく固定される。
【００２３】
固定具２０を取付具１０から取り外すには、上記した装着手順の逆の手順を行うことになる。簡単に言えば、固定具２０を斜めに持ち上げ、その状態で斜め上方に引き抜くことにより固定具２０は取付具１０から取り外される。
【００２４】
このように、固定具２０の取り外しには「斜めに持ち上げる」、「斜め上方に引き抜く」という２つのアクションが必要であるため、トイレルームの使用者が誤って棚板４０を下から突き上げて固定具２０が斜めに持ち上げられた場合であっても、その持ち上げられた状態から斜め上方に引き抜く力が作用しなければ固定具２０は取付具１０から外れることはなく、固定具２０そして棚板４０の取り扱いなどの過誤による落下を防止することができる。
しかも、図３に示すように、挿入溝部１６の間隔Ｄ１は係合突起の高さＨ１よりも僅かに大きく形成されているに過ぎず、従って、一旦挿入後には固定具２０を挿入溝部１６の傾斜角とほぼ同じに傾斜させ、その状態で斜め上方に引き抜かない限り外れることが無く、このように斜めに上方に引き抜く際の角度も限定されることから、固定具２０や棚板４０の取扱いなどの過誤による落下を防止できるものである。
【００２５】
なお、垂下部１５前面と垂下支持部２３との当接面はブラスト処理等によって粗面化することにより、取付具１０に装着された固定具２０の長手方向（図３〜図５における紙面前後方向）において固定具２０が簡単にスライドしてしまうことを防止してもよく、また、長手方向（図３〜図５における紙面前後方向）において、垂下部１５前面と垂下支持部２３との当接面に所定間隔で凹凸嵌合を形成し、その嵌合によって長手方向の位置を保持するようにしても良い。
【００２６】
上記実施形態では、固定具には、棚板を固定した例を示すが、棚板以外のものを固定する場合も同様である。例えば、上記実施形態の棚板固定部をフック形状として、固定具自体をフックとして利用することや、前面又は上面が開口した（開閉扉であっても良い）ボックス状部材を設け、このボックス状部材を物入れやダストボックスとして利用することや、トイレルーム内機器の操作を行うリモコンのハンガーを固定することや、タオル掛けを固定することや、手すりを固定することも可能である。
【００２７】
次に、壁面ユニットの施工について図６〜図１１に基づいて説明する。
図６は施工初期段階であるフレームの固定を示す図である。この図６に示すように、トイレルーム側壁に対して、端取付具１０ａがネジ止め固定され、その両端に一対のフレーム５０が垂直となるように嵌合され、同じくトイレルーム壁面にネジ止め固定される。一対のフレーム５０の間隔はトイレルームの広さに応じて８００〜１１００ｍｍ程度に調整されるものであり、フレーム５０の高さ（長さ）は、８００ｍｍ程度である。
【００２８】
また、フレーム本体５１はアルミ等の軽金属性や硬質樹脂等の比較的強度の高い材料で形成するのが好ましく、化粧カバー５５は木材からなるボード材３０を傷つけず、また、ボード材との一体感が得られる、アルミ等の軽金属，木材，樹脂、または、軟質ゴムによって構成するのが好ましい。
なお、下端取付具１０ａは、図３〜図５に示した取付具１０と略同一構造であるが、その下側にはボード材が嵌め込まれることが無い為、垂下壁１５と後部壁１１との間に空間が存在しないように中実に構成されている点が異なる。
【００２９】
そして、この図６の一対のフレーム５０間にボード材３０が取付けされる（図７参照）。その際、ボード材３０の下端は下端取付具１０ａの上部壁１２に載せられ、後部壁１１と垂直壁１４との間に嵌め込まれる。
【００３０】
その後、図８に示す様に、ボード材３０の上端に取付具１０が固定される。具体的には、ボード材３０の上端に取付具１０の下部壁１３を突き当て、後部壁１１と垂下壁１５との間に嵌め込み、その位置で取付具１０が壁面に固定ネジ１１ａ（図３〜図５参照）によって固定される。なお、取付具１０が水平に固定されるよう、後述するようにフレーム５０に設けられた目盛りを利用することができる。
【００３１】
その後、図９に示すように、取付具１０の上方にボード材３０が積み上げられ、更には、取付具１０が固定される。その状態で取付具１０の上に最上段のボード材３０を嵌め込む前に、フレーム５０の上端には上端フレーム６０が仮固定される。仮固定とは、上端フレーム６０に設けられた上下方向を長軸とした長孔に固定ネジを差込み、上端フレーム６０を上下にスライド可能とした状態である。
【００３２】
そして、上端フレーム６０を上方にスライド移動させた状態でボード材３０を取付けた後、上端フレーム６０を下方にスライド移動させてボード材３０を嵌め込んだことにより、壁面Ｗに対する施工作業を完了する（図１０）。そして、意匠性の面からフレーム５０の前方側に化粧カバー５５を取付け、施工を完了する（図１１）。
【００３３】
以上に施工において、取付具１０を壁面Ｗに固定する際、その水平を保つための工夫について図１２に基づいて説明する。この図１２は図１におけるボード材の一部を切り欠いたＢ視図である。この図１２に示すように、フレーム５０には目盛り５０ａが刻印されており、左右のフレームにおいて同じ目盛り位置となるように取付具１０を壁面Ｗに対して固定することにより、ボード材の上端面の平面度に係わらず、取付具１０を水平に固定することが可能である。
【００３４】
なお、図１１におけるＣ−Ｃ断面である図１３に示すように、フレーム５０は壁面Wに固定されたフレーム本体５１と、このフレーム本体５１から前方に突出した取付ボス５２とからなり、フレーム本体５１は固定ビス５３によって壁面Wに固定されている。また、フレーム本体５１に対しては化粧カバー５５が、そのボス穴５６を取付ボス５２に対して嵌着することにより取り付けられる。なお、化粧カバー５５はボード材３０や取付具１０の端部と重なる庇部５７を有している。
【００３５】
このように、庇部５７によって、一対のフレーム５０に亘って固定された、取付具１０下端取付具１０ａ、ボード材３０、上端フレーム６０の左右方向の両端部は隠蔽される。従って、これらの部材の寸法公差や左右方向の施工ズレを吸収することができ、見映えを良くすることができる。
【００３６】
以上のように構成された壁面ユニットＨにおいて、取付具１０の任意の位置に固定具２０を装着することにより、棚板４０を任意の位置に固定することができる。固定具２０は横方向にスライド可能なので棚板の横方向の位置は任意に選択可能であり、また、取付具１０は多段であるため、棚板４０の高さ方向の位置も任意に選択可能である。従って、棚板４０に載せる物や、トイレルーム使用者の体格に合わせて、最適の位置に棚板４０を設置して利用することができる。
【図面の簡単な説明】
【００３７】
【図１】本発明における壁面ユニットを固定したトイレルームの側壁面。
【図２】図１のトイレルームの正面図。
【図３】本発明における取付具に対する固定具の装着方法を説明する断面図（装着前）。
【図４】本発明における取付具に対する固定具の装着方法を説明する断面図（装着途中）。
【図５】本発明における取付具に対する固定具の装着方法を説明する断面図（装着完了）
【図６】壁面ユニットの施工説明図（フレームの固定）。
【図７】壁面ユニットの施工説明図（第一ボード材の取付け）。
【図８】壁面ユニットの施工説明図（第一取付具の固定）。
【図９】壁面ユニットの施工説明図（上端フレームの取付け）。
【図１０】壁面ユニットの施工説明図（取付具，ボード材の施工完了）。
【図１１】壁面ユニットの施工説明図（化粧カバーの取付け）。
【図１２】図１におけるボード材の一部を切り欠いたＢ視図。
【図１３】図１１におけるC−C断面図。
【符号の説明】
【００３８】
Ｈ…壁面ユニット
W…壁面
１…水洗便器
２…キャビネット
３…カウンター
４…手洗器
５…ミラー
１０…取付具
１０ａ…下端取付具
１１…後部壁
１１ａ…固定ネジ
１２…上部壁
１３…下部壁
１４…垂直壁
１５…垂下壁
１６…挿入溝部
１７…係合溝部
２０…固定具
２１…挿入係止部
２２…係合突起
２３…垂下支持部
２３ａ…当接突起
２４…棚板固定部
３０…ボード材
４０…棚板
５０…フレーム
５１…フレーム本体
５２…取付ボス
５３…固定ビス
５５…化粧カバー
５６…ボス穴
５７…庇部
６０…上端フレーム
【図１】
2005102762.tif 000003
【図２】
2005102762.tif 000004
【図３】
2005102762.tif 000005
【図４】
2005102762.tif 000006
【図５】
2005102762.tif 000007
【図６】
2005102762.tif 000008
【図７】
2005102762.tif 000009
【図８】
2005102762.tif 000010
【図９】
2005102762.tif 000011
【図１０】
2005102762.tif 000012
【図１１】
2005102762.tif 000013
【図１２】
2005102762.tif 000014
【図１３】
2005102762.tif 000015